(57)【特許請求の範囲】
【請求項１】
屋外に設置され、光透過性を有する屋外用光学パネルであって、
光透過性を有する基材と、
前記基材と一体的に形成され、前記基材の一方の面に向って入射する入射光を、前記基材の他方の面側から拡散させて出射する光拡散部と、を備え、
前記光拡散部は、前記基材の少なくとも一方の面から突出形成された凸部で構成され、前記入射光を、前記基材の平面視において放射状に拡散するものであり、
前記凸部は、第１の部分と、該凸部から出射する出射光を前記第１の部分よりも多く拡散する第２の部分とを有していることを特徴とする屋外用光学パネル。
【請求項２】
前記凸部は、半円球の半割り体の形状をなしているレンズである請求項１に記載の屋外用光学パネル。
【請求項３】
前記凸部の、前記屋外用光学パネルの平面視における前記凸部の最大幅は、０．０１ｍｍ以上、３．０ｍｍ以下である請求項１または２に記載の屋外用光学パネル。
【請求項４】
前記凸部は、多数設けられており、
前記各凸部は、前記基材の平面視において、格子状または千鳥状に配置されている請求項１ないし３のいずれか１項に記載の屋外用光学パネル。
【請求項５】
前記各凸部は、等間隔で配置されている請求項４に記載の屋外用光学パネル。
【請求項６】
前記凸部側の面が鉛直方向下側を向くように設置される請求項１ないし５のいずれか１項に記載の屋外用光学パネル。
【請求項７】
水平方向に対して、３°以上、３０°以下傾斜した状態で設置されて用いられる請求項１ないし６のいずれか１項に記載の屋外用光学パネル。
【発明の詳細な説明】
【技術分野】
【０００１】
本発明は、屋外用光学パネルに関する。
【背景技術】
【０００２】
例えば、テラス等の屋外に設置される屋根材には、屋内の明るさを確保するという観点から、光透過性を有する板材が用いられている（例えば、特許文献１参照）。
【０００３】
特許文献１には、透明樹脂板と、透明樹脂板の表面に形成された多数の突起で構成されたプリズムとを有し、該プリズムが鉛直方向下側に位置するように設置される導光板が開示されている。この導光板は、プリズムとは反対側の面から入射した太陽光を、プリズムの斜面にて向きを変更させ、太陽光を室内に導くものである。
【０００４】
しかしながら、特許文献１に記載の導光板では、プリズムは三角柱状の突起で構成されているため、異方性を有している。すなわち、プリズムの斜面にて向きが変更された太陽光の進行方向が決まっている。このため、設置する向きを間違えると室内に光を導くことができない。
【先行技術文献】
【特許文献】
【０００５】
【特許文献１】特開２０１０−０８５９０５号公報
【発明の概要】
【発明が解決しようとする課題】
【０００６】
本発明の目的は、設置が容易で、かつ、汎用性に優れる屋外用光学パネルを提供することにある。
【課題を解決するための手段】
【０００７】
このような目的は、下記（１）〜（７）の本発明により達成される。
（１）  屋外に設置され、光透過性を有する屋外用光学パネルであって、
光透過性を有する基材と、
前記基材と一体的に形成され、前記基材の一方の面に向って入射する入射光を、前記基材の他方の面側から拡散させて出射する光拡散部と、を備え、
前記光拡散部は、前記基材の少なくとも一方の面から突出形成された凸部で構成され、前記入射光を、前記基材の平面視において放射状に拡散するものであり、
前記凸部は、第１の部分と、該凸部から出射する出射光を前記第１の部分よりも多く拡散する第２の部分とを有していることを特徴とする屋外用光学パネル。
【０００９】
（２）  前記凸部は、半円球の半割り体の形状をなしているレンズである上記（１）に記載の屋外用光学パネル。
【００１０】
（３）  前記凸部の、前記屋外用光学パネルの平面視における前記凸部の最大幅は、０．０１ｍｍ以上、３．０ｍｍ以下である上記（１）または（２）に記載の屋外用光学パネル。
【００１２】
（４）  前記凸部は、多数設けられており、
前記各凸部は、前記基材の平面視において、格子状または千鳥状に配置されている上記（１）ないし（３）のいずれかに記載の屋外用光学パネル。
【００１３】
（５）  前記各凸部は、等間隔で配置されている上記（４）に記載の屋外用光学パネル。
【００１４】
（６）  前記凸部側の面が鉛直方向下側を向くように設置される上記（１）ないし（５）のいずれかに記載の屋外用光学パネル。
【００１５】
（７）  水平方向に対して、３°以上、３０°以下傾斜した状態で設置されて用いられる上記（１）ないし（６）のいずれかに記載の屋外用光学パネル。
【発明の効果】
【００１６】
本発明によれば、設置が容易で、かつ、汎用性に優れる屋外用光学パネルを得ることができる。
【図面の簡単な説明】
【００１７】
【図１】図１は、本発明の屋外用光学パネル（第１実施形態）を示す斜視図である。
【図２】図２は、図１に示す屋外用光学パネルを示す断面図である。
【図３】図３は、図２中の矢印Ａ方向から見た図である。
【図４】図４は、図２に示す屋外用光学パネルが備えるレンズ部（光拡散部）を示す拡大側面図である。
【図５】図５は、（ａ）および（ｂ）が、図１に示す屋外用光学パネルを示す斜視図である。
【図６】図６は、本発明の屋外用光学パネル（第２実施形態）を示す断面図である。
【図７】図７は、図６中の矢印Ｂ方向から見た図である。
【図８】図８は、本発明の屋外用光学パネル（第３実施形態）を示す断面図である。
【図９】図９は、（ａ）および（ｂ）が、従来の屋外用光学パネルを示す斜視図である。
【発明を実施するための形態】
【００１８】
以下、本発明の屋外用光学パネルを添付図面に示す好適な実施形態に基づいて詳細に説明する。
【００１９】
＜第１実施形態＞
図１は、本発明の屋外用光学パネル（第１実施形態）を示す斜視図である。図２は、図１に示す屋外用光学パネルを示す断面図である。図３は、図２中の矢印Ａ方向から見た図である。図４は、図２に示す屋外用光学パネルが備えるレンズ部（光拡散部）を示す拡大側面図である。図５は、（ａ）および（ｂ）が、図１に示す屋外用光学パネルを示す斜視図である。図９は、（ａ）および（ｂ）が、従来の屋外用光学パネルを示す斜視図である。
【００２０】
なお、図１、図２、図４、図５、図９（図６および図８についても同様）では、上側を「上方」または「上」と言い、下側を「下方」または「下」とも言う。なお、図２および図４（図６および図８についても同様）では、屋外用光学パネルを水平方向に沿って図示しているが、実際は、図１に示すように、水平方向に対して傾斜している。
【００２１】
図１に示す屋外用光学パネル１は、例えば、テラス等の屋根材として屋外に設置されるものであり、雨を遮ることができる。また、屋外用光学パネル１は、太陽光を透過することができ、室内に太陽光を導くことができる。これにより、雨を遮りつつ、室内の明るさを確保することができる。以下、屋外用光学パネル１の構成について詳細に説明する。
【００２２】
図２に示すように、屋外用光学パネル１は、基材２と、光拡散部３とを有している。
基材２は、板状をなし、光透過性を有する光透過性材料により構成されている。この光透過性材料としては、特に限定されず、例えば、ポリカーボネート系樹脂、ポリエステル系樹脂、メタクリル系樹脂、スチレン系樹脂、ポリ塩化ビニル系樹脂、ポリオレフィン系樹脂、ポリアミド系樹脂等の樹脂材料や、各種ガラス材料等を使用することができる。これらの材料の中で、透明性、耐熱性、耐衝撃性に優れ、かつ、安価である観点からポリカーボネート系樹脂が好ましい。
【００２３】
ポリカーボネート系樹脂とは、主鎖中に炭酸エステル結合を含む線状高分子であり、例えば種々のジヒドロキシジアリール化合物とホスゲンとをホスゲン法により反応させたり、ジヒドロキシジアリール化合物とジフェニルカーボネートなどの炭酸エステルとをエステル交換法で反応させたりして得ることができる重合体などである。具体的には、２，２−ビス（４−ヒドロキシフェニル）プロパン（ビスフェノールＡ）から製造されたポリカーボネート樹脂を挙げることができる。
【００２４】
また、ポリエステル系樹脂としては、ポリエチレンテレフタレート、ポリブチレンテレフタレート、ポリアクリレート、ポリエーテルエーテルケトン等が挙げられる。
【００２５】
また、メタクリル系樹脂としては、メタクリル酸の各種エステルからなる重合体又は他の単量体との共重合体等が挙げられる。具体的には、メタクリル酸メチル、メタクリル酸エチル、メタクリル酸ブチル等の各種メタクリル酸エステルの単独重合体、及びこれらのメタクリル酸エステルと各種アクリル酸エステル、アクリル酸、スチレン、α−メチルスチレン等との共重合体等が挙げられる。
【００２６】
また、スチレン系樹脂としては、スチレン系単量体からなる重合体又はスチレン系単量体と共重合可能な単量体を用いた共重合体等が挙げられる。スチレン系単量体としては、スチレン、α−メチルスチレン、ベンゼン核の水素原子がハロゲン原子や炭素数１〜２のアルキル基で置換されたスチレン誘導体等があり、具体的には、スチレン、ｏ−クロルスチレン、ｐ−クロルスチレン、２，４−ジメチルスチレン、ｔ−ブチルスチレン等がある。また、共重合可能な単量体としては、（メタ）アクリロニトリル、α−クロロアクリロニトリル、シアン化ビニリデン等のアクリロニトリル系単量体や、（メタ）アクリル酸、（メタ）アクリル酸メチル、（メタ）アクリル酸エチル、（メタ）アクリル酸ブチル、（メタ）アクリル酸グリシジル、（メタ）アクリル酸−２−エチルヘキシルブチル、（メタ）アクリル酸−β−ヒドロキシエチル等の（メタ）アクリル酸や、これらの各種エステル類又は酢酸ビニル、塩化ビニル、塩化ビニリデン、ビニルピロリドン、（メタ）アクリルアミド、無水マレイン酸、無水イタコン酸、マレイミド等が挙げられる。
【００２７】
ポリ塩化ビニル系樹脂としては、塩化ビニルの単独重合体、少量のコモノマーを共重合させた塩化ビニル系共重合体、グラフト共重合体等が挙げられる。これらと塩化ビニリデン樹脂、エチレン・酢酸ビニル共重合体、塩素化ポリエチレン等とのポリマーブレンドでもよい。
【００２８】
ポリオレフィン系樹脂としては、α−オレフィンの単独重合体又はα−オレフィンと他の共重合可能な単量体との共重合体等が挙げられる。例えばポリエチレン、ポリプロピレン、エチレン−プロピレン共重合体、エチレン−ブテン共重合体、エチレン−４−メチル−１−ペンテン共重合体、エチレン−酢酸ビニル共重合体、エチレン−アクリル酸共重合体等が挙げられる。このうち、密度が０．９１０〜０．９３５の低密度ポリエチレンやエチレン−α−オレフィン共重合体、酢酸ビニル含量が３０重量％以下のエチレン−酢酸ビニル共重合体が透明性及び耐候性に優れている。なかでも、酢酸ビニルの含量が５重量％〜３０重量％のエチレン−酢酸ビニル共重合体は透明性、柔軟性及び耐候性が特に優れている。
【００２９】
ポリアミド系樹脂としては、ナイロン−６、ナイロン−６６、ナイロン−１２、ナイロン−４６等が挙げられる。
【００３０】
また、基材２は、近赤外線を吸収する物質、例えばイオウ、硫黄系化合物、銅系化合物およびその他の近赤外線吸収物質のうちの一種又は２種以上を含有してもよい。
【００３１】
また、基材２の色は、無色であっても、赤色、青色、黄色等、如何なる色であってもよい。
【００３２】
これらの色の選択は、基材２を構成する樹脂材料に染料を含有させることにより可能になる。この染料としては、例えば、酸性染料、直接染料、反応性染料、および塩基性染料等が挙げられ、これらから選択される１種または２種以上を組み合わせて用いることができる。
【００３３】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００３４】
なお、基材２の上面２１には、偏光フィルムが配置されているのが好ましい。これにより、屋外用光学パネル１を通過する太陽光Ｌは、偏光されたものとなる。
【００３５】
この偏光フィルムは、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエチレン系配向フィルム等が挙げられる。
【００３６】
これらの中でも、偏光フィルムは、ポリビニルアルコール（ＰＶＡ）を主材料とした高分子フィルムに、ヨウ素または二色性染料を吸着、染色させ、一軸延伸したものが好ましい。
【００３７】
ポリビニルアルコール（ＰＶＡ）は、透明性、耐熱性、染色剤であるヨウ素または二色性染料との親和性、延伸時の配向性のいずれもが優れた材料である。従って、ＰＶＡを主材料とする偏光フィルムは、耐熱性に優れたものとなるとともに、偏光能に優れたものとなる。
【００３８】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００３９】
また、基材２は、熱安定剤、赤外線吸収剤、紫外線吸収剤、蛍光増白剤、離型剤、帯電防止剤等の添加剤を含有していてもよい。また、これらの添加剤を含むフィルム等を基材２の上面に貼着してもよい。
【００４０】
このような基材２の厚さｔとしては、特に限定されないが、例えば、１．０ｍｍ以上、１５．０ｍｍ以下であるのが好ましく、１．５ｍｍ以上、８．０ｍｍ以下であるのがより好ましい。これにより、基材２の構成材料にもよるが、十分な機械的強度を得ることができるとともに、軽量化を図ることができる。
【００４１】
次に、光拡散部３について説明する。
図２、図３および図４に示すように、光拡散部３は、多数のレンズ部３１により構成されている。各レンズ部３１は、格子状に互いに等間隔（等ピッチ）で配置されている。各レンズ部３１は、同様の構成であるため、１つのレンズ部３１について代表的に説明する。
【００４２】
レンズ部３１は、基材２の下面２２から下側に向って突出形成された半球状の凸部で構成されている。これにより、レンズ部３１を透過する光を焦点Ｆに収束させることができる。
【００４３】
次に、図４を参照しつつ、屋外用光学パネル１を透過する太陽光Ｌの光路について説明する。なお、図４中では、右側が西側、左側が東側となっている。
【００４４】
図４に示すように、太陽光Ｌは、東側から屋外用光学パネル１に入射する。そして、基材２およびレンズ部３１を順に透過した太陽光Ｌは、レンズ部３１よりも西側の焦点Ｆにて収束する。そして、焦点Ｆにて収束した太陽光Ｌは、焦点Ｆよりも下側では、拡散する。
【００４５】
このとき、拡散した太陽光Ｌの一部（以下、「太陽光Ｌ’（出射光）」とも言う）が水平方向となす角度θ１は、レンズ部３１に入射する以前の太陽光Ｌが水平方向となす角度θ２よりも小さい。これにより、太陽光Ｌ’は、レンズ部３１を通過しない太陽光Ｌよりも部屋Ｒの奥側に向うこととなる。よって、屋外用光学パネル１によれば、窓際に設置したとしても、部屋Ｒ内に太陽光Ｌ’を入射させることができる。その結果、雨を遮ることができるとともに、屋外用光学パネル１の設置により部屋の照度が低下するのを防止または抑制することができる。
【００４６】
ここで、図９（ａ）および（ｂ）は、従来の屋外用光学パネル１００’を示す図である。屋外用光学パネル１００’は、平面視で長方形をなしている。また、屋外用光学パネル１００’は、長辺１０１’に沿って延在する多数の光反射面１０３’を有している。この屋外用光学パネル１００’によれば、図９（ａ）中右側または左側には太陽光Ｌ’を優先的に導くことができる。
【００４７】
しかしながら、図９（ａ）中紙面奥側および紙面手前側には、太陽光Ｌ’を優先的に導くことが困難である。このため、屋外用光学パネル１００’は、２つの長辺１０１’のうちの何れかが部屋Ｒ側に位置するように設置されて用いられる。すなわち、図９（ｂ）に示すように、屋外用光学パネル１００’では、２つの短辺１０２’を部屋Ｒ側に位置するように設置すると、太陽光Ｌ’は、図９（ｂ）中紙面手前側および紙面奥側に優先的に導かれる。
【００４８】
その結果、部屋Ｒ内の十分な照度を確保するのが困難である。このように、従来の屋外用光学パネル１００’では、設置向きに制限があり、汎用性に優れるとは言い難い。
【００４９】
これに対し、本発明の屋外用光学パネル１では、太陽光Ｌを放射状に拡散するため、向きを問わず設置することができる。すなわち、屋外用光学パネル１が平面視で長方形をなしている場合、図５（ａ）に示すように、長辺１１が部屋Ｒ側に位置するように設置しても、図５（ｂ）に示すように、短辺１２が部屋Ｒ側に位置するように設置しても、部屋Ｒ側に太陽光Ｌ’導くことができる。従って、屋外用光学パネル１は、設置が容易であるとともに、汎用性に優れる。
【００５０】
このような屋外用光学パネル１では、レンズ部３１の直径φＤは、０．０１ｍｍ以上、４．０ｍｍ以下であるのが好ましく、０．０５ｍｍ以上、２．０ｍｍ以下であるのがより好ましい。これにより、レンズ部３１を容易に製造することができるとともに、レンズ部３１の光拡散効果を高めることができる。
【００５１】
レンズ部３１の直径φＤが小さすぎると、例えば、屋外用光学パネル１を成形する際の型の製造が難しくなる。一方、レンズ部３１の直径φＤが大きすぎると、焦点Ｆがレンズ部３１から比較的遠くなり、十分な光拡散性を得られない可能性が有る。
【００５２】
また、レンズ部３１の突出高さｈ（基材２の下面２２とレンズ部３１の頂部３１１との離間距離）は、０．００５ｍｍ以上、５．０ｍｍ以下であるのが好ましく、０．０２５ｍｍ以上、２．５ｍｍ以下であるのがより好ましい。また、レンズ部３１の突出高さｈは、レンズ部３１の直径φＤに対して０．５倍以上、１．２５倍以下であるのが好ましい。また、レンズ部３１の半径ｒに対して１．０倍以上、２．５倍以下であるのが好ましい。これにより、レンズ部の光拡散効果を高めることができる。
【００５３】
また、レンズ部３１は、前述したように、基材２の平面視において格子状に配置されている。また、レンズ部３１の列および行において、互いに隣り合うレンズ部３１は、等間隔（等ピッチ）である。このような配置によれば、屋外用光学パネル１をどの向きで配置しても、部屋Ｒ側に均一にムラなく太陽光Ｌ’を導くことができる。
【００５４】
また、図１に示すように、屋外用光学パネル１は、水平方向に対して、３°以上、３０°以下傾斜して設置されるのが好ましく、７°以上、１５°以下傾斜して設置されるのがより好ましい。これにより、季節に関わらず、すなわち、太陽光Ｌの鉛直方向に対する傾斜角度によらず、太陽光Ｌのうち、基材２の上面２１において全反射する光を減らすことができる。よって、より多くの太陽光Ｌをレンズ部３１に入射させることができる。その結果、部屋Ｒの照度をより高めることができる。
【００５５】
また、屋外用光学パネル１では、レンズ部３１が鉛直方向下側に位置し、基材２の上面２１は、平坦な面となっている。これにより、基材２の上面２１にレンズ部３１が形成されている場合に比べ、屋外用光学パネル１に入射する太陽光Ｌを多くすることができる。その結果、部屋Ｒの照度をさらに高めることができる。
【００５６】
レンズ部３１は、光透過性を有する光透過性材料により構成されている。この光透過性材料としては、基材２と同じものが使用でき、同一である。
【００５７】
レンズ部３１として基材２と同じ樹脂材料を用いることにより、レンズ部３１と基材２とを、同一の成形型内に樹脂材料を供給して成形することができる。これにより、レンズ部３１と基材２とを一体的に形成することができ、レンズ部３１を別体として基材２に配置する構成に比べ、レンズ部３１を精度よく形成することができる。
【００５８】
また、屋外用光学パネル１の平面視において、光拡散部３の基材２における占有率、すなわち、基材２の平面視において、基材２のうち、レンズ部３１が占める面積の割合は、１０％以上、９９％以下であるのが好ましく、２０％以上、８０％以下であるのがより好ましい。これにより、基材２の上面２１に入射した太陽光Ｌのうち、レンズ部３１を通過する光を多くすることができる。よって、部屋Ｒの照度を効果的に確保することができる。
【００５９】
＜第２実施形態＞
図６は、本発明の屋外用光学パネル（第２実施形態）を示す断面図である。図７は、図６中の矢印Ｂ方向から見た図である。
【００６０】
以下、これらの図を参照して本発明の屋外用光学パネルの第２実施形態について説明するが、前述した実施形態との相違点を中心に説明し、同様の事項はその説明を省略する。
本実施形態は、凸部の形状が異なること以外は、前記第１実施形態と同様である。
【００６１】
図６および図７に示すように、屋外用光学パネル１Ａでは、レンズ部３１は、半円球の半割り体の形状をなしている。また、レンズ部３１は、部屋Ｒ側にレンズ部３１の球面（第２の部分）３１２を有し、また、部屋Ｒとは反対側に垂直面（第１の部分）３１３を有している。
【００６２】
このような屋外用光学パネル１Ａでは、図８に示すように、入射した太陽光Ｌは、基材２の平面視で、放射状に拡散される。また、部屋Ｒ側に向う太陽光Ｌ’の水平方向に対する傾斜角度は、部屋Ｒとは反対側に向う太陽光Ｌ’の水平方向に対する傾斜角度よりも小さい。これにより、部屋Ｒ側に向って優先的に（多く）太陽光Ｌを導くことができる。よって、部屋Ｒの十分な照度を確保することができる。
【００６３】
＜第３実施形態＞
図８は、本発明の屋外用光学パネル（第３実施形態）を示す断面図である。
【００６４】
以下、この図を参照して本発明の屋外用光学パネルの第３実施形態について説明するが、前述した実施形態との相違点を中心に説明し、同様の事項はその説明を省略する。
本実施形態は、凸部の構成が異なること以外は、前記第１実施形態と同様である。
【００６５】
図８に示すように、屋外用光学パネル１Ｂでは、レンズ部３１が、基材２に埋設されている。
【００６６】
レンズ部３１は、球状をなしており、いわゆるボールレンズで構成されている。また、レンズ部３１は、表面が基材２から露出していないレンズ部３１Ａと、表面の一部が基材２から露出したレンズ部３１Ｂとを有している。
【００６７】
このような屋外用光学パネル１Ｂでは、基材２の上面２１に入射した太陽光Ｌは、レンズ部３１Ｂおよびレンズ部３１Ａを通過して、拡散され、太陽光Ｌが、部屋Ｒ側に入射する。レンズ部３１Ａおよびレンズ部３１Ｂは、ボールレンズで構成されているため、焦点Ｆがレンズ部３１Ａおよびレンズ部３１Ｂの表面またはその近傍に位置することとなる。その結果、太陽光Ｌは、第１実施形態よりも基材２側で拡散されることとなり、部屋Ｒの照度をより高めることができる。
【００６８】
なお、屋外用光学パネル１Ｂは、例えば、液状の基材２中にレンズ部３１を混合し、その後に液状の基材２を硬化させることにより得られる。
【００６９】
以上、本発明の屋外用光学パネルを図示の実施形態について説明したが、本発明は、これに限定されるものではなく、屋外用光学パネルを構成する各部は、同様の機能を発揮し得る任意の構成のものと置換することができる。また、任意の構成物が付加されていてもよい。
【００７０】
また、前記各実施形態では、各凸部は、格子状に配置されているが、本発明ではこれに限定されず、例えば、千鳥配置や、放射状に配置されていてもよい。
【００７１】
また、前記各実施形態では、各凸部は、行および列において、隣り合う凸部同士が互いに等間隔（等ピッチ）で配置されているが、本発明ではこれに限定されず、例えば、一方側に向って、離間距離が徐々に大きくなっていてもよい。
【００７２】
この場合、部屋側から外側に向って凸部の離間距離が大きくなる向きで屋外用光学パネルを設置することにより、部屋から遠位側に位置する凸部であっても、部屋側に太陽光を強化的に導くことができる。
【００７３】
また、前記各実施形態では、屋外用光学パネルは、テラスに設置する場合について説明したが、本発明はこれに限定されず、例えば、車庫の屋根や、マンションのベランダの仕切り等としても用いることができる。
【００７４】
また、前記第３実施形態では、レンズ部は、基材から露出したレンズ部と、基材から露出していないレンズ部とを有しているが、本発明では、これに限定されず、例えば、基材から露出したレンズ部が省略されていてもよく、基材から露出していないレンズ部が省略されていてもよい。
【符号の説明】
【００７５】
１        屋外用光学パネル
１Ａ      屋外用光学パネル
１Ｂ      屋外用光学パネル
１１      長辺
１２      短辺
２        基材
３        光拡散部
３１      レンズ部
３１Ａ    レンズ部
３１Ｂ    レンズ部
２１      上面
２２      下面
１００’  屋外用光学パネル
１０１’  長辺
１０２’  短辺
１０３’  光反射面
３１１    頂部
３１２    球面
３１３    垂直面
Ｆ        焦点
Ｌ        太陽光
Ｌ’      太陽光
Ｒ        部屋
ｈ        突出高さ
θ１      角度
θ２      角度
φＤ      直径
ｔ        厚さ
【図１】
0006710941.tif 000002
【図２】
0006710941.tif 000003
【図３】
0006710941.tif 000004
【図４】
0006710941.tif 000005
【図５】
0006710941.tif 000006
【図６】
0006710941.tif 000007
【図７】
0006710941.tif 000008
【図８】
0006710941.tif 000009
【図９】
0006710941.tif 000010